(57)【要約】【課題】  カップ保形用芯材を５区分に分けてそれぞれの長さを異ならすと共に、各区分の断面形状を異形にする。バストへのフィット性とバストに当る面圧を下げて肌当りを良くすると共に、肌への食い込みをなくした着用感の優れたカップ部の保形用芯材を提供する。【解決手段】  ブラジャーなどのバストカップの下辺に装着される保形用芯材１であって、下辺部４と内側上部２と外側上部６の断面形状を縦長方形、横長方形、傾斜長方形に形成する。下辺部４と内側上部２の間の内側中間部３および下辺部４と外側上部５の間の外側中間部の断面形状を円形に形成する。【選択図】          図１
0003110053.tif 000002
【実用新案登録請求の範囲】
【請求項１】
ブラジャーなどのバストカップの下辺に装着される保形用芯材であって、下辺部と内側上部と外側上部の断面形状を縦長方形、横長方形、傾斜長方形に形成し、下辺部と内側上部間の内側中間部および下辺部と外側上部間の外側中間部の断面形状を円形に形成したことを特徴とするカップ部の保形用芯材。
【請求項２】
外側上部の断面傾斜長方形は内側上部の断面横長方形よりも長く、内側中間部の断面円形は外側中間部の断面円形より長く、内側上端部から下辺部の一側端と、外側上端部から下辺部の他側端が同じ長さに形成されていることを特徴とする請求項１記載のカップ部の保形用芯材。
【請求項３】
内側上部の端部は肌から離れる方向に曲げられていることを特徴とする請求項１または２記載のカップ部の保形用芯材。
【請求項４】
外側上部の傾斜長方形は略４５度に傾斜していることを特徴とする請求項１から３のいずれか一つに記載のカップ部の保形用芯材。
【考案の詳細な説明】
【技術分野】
【０００１】
本考案は、ブラジャー、ボディスーツなどのファンデーションあるいはブラスリップなどのランジェリーもしくはレオタード、水着のスポーツ衣料などのバストカップを有する衣類に装着されるカップ部の保形用芯材に関するものである。
【背景技術】
【０００２】
従来から、ファンデーションの代表的な衣類であるブラジャーには、バストを体形的に美しく整容すると同時に、着用安定性を発揮させるため、バストカップ布の下端周辺に沿うように半円形状に湾曲した断面形状が円形または扁平な矩形状の単一断面の金属芯材や合成樹脂芯材が装着されている。
【０００３】
円形の芯材の場合は、体の表面と平行に開く傾向があり乳房の下辺湾曲部の広がりに対して沿い易いが、曲面である胸壁、特に脇側に平面的な芯材を沿わせるものであるから、左右両端部分は体表面に沿わず空隙部が現出してフイット性に優れなかった。
【０００４】
矩形の芯材の場合は、乳房の下辺湾曲部や脇側の曲面に沿いやすくフイットするが、体表面と平行に開きにくいため、バストの膨出による底面積の広がりに対処できなかった。
【０００５】
これらの円形の芯材や矩形の芯材は、垂直に立てて平面および底面から見ると水平の直線状になっていると共に、側面から見ると垂直の直線状になった平面的（２次元）に形成されていることから、膨らみのある曲面状のバストに沿わせるのが必然的に無理があり、フイット性に優れないばかりでなく、局部が圧迫を受けて痛みを覚え着け心地が良くないと言った問題点があった。
【０００６】
特にブラジャーの場合は、バック布の締め付けによる背面方向からの強い引っ張り力により脇側の内側上部が背中方向に引き寄せられ、それに伴って前中心側の内側上部が傾斜することがあり、特に四角形の端部の角部でバストに強い面圧がかかって着用感が優れないばかりか、極端な場合には、圧迫部の内出血、摩擦による低温やけど、擦過傷などを引き起こすことがあった。
【０００７】
このような問題を解決するものとして、３次元曲面ワイヤーが提案されている。例えば、肌側に対して下側円弧状部が外方に湾曲し、内側および外側円弧状部の両端に至るまでを平面とし、さらにこれに続く両端部よりを外方に湾曲した構造のものがある（例えば、特許文献１）。
【０００８】
あるいは、半円状のカップワイヤーの両端に、円弧状に長く延長する内側縁延長部分、その部分よりさらに長くストラップ取付点に至る曲率が逆となる外側縁延長部分とを備え、外側縁延長部分を前向き、外側縁円弧状部分を後向き、下側縁円弧状部分を前向き、内側縁円弧状部分と内側縁延長部を後向き、内側縁延長部分端部を前方に反らす構造のものもある（例えば、特許文献２）。
【特許文献１】実開昭５４−５４４３６号公報
【特許文献２】特公昭６２−２９５２１号公報
【考案の開示】
【考案が解決しようとする課題】
【０００９】
しかしながら、前記特許文献１、２の３次元曲面ワイヤーは、立体感があり着用感は非常に優れていると一般的には考えられるが、着用者個々の体型の僅かな違いによってはバストに沿わず着用感が低下する。また、３次元曲面のラインを形成するのに時間がかかると共に難しいため、主として形状記憶合金や超弾性特性を持ったワイヤーの素材で形成されているが、これらは素材の価格が非常に高く汎用品として使用するには材料と製造コストが高いと言う問題点がある。
【００１０】
本考案は上記の問題を解決することを課題として研究開発されたもので、カップ部の保形用芯材を５区分に分けてそれぞれの長さを異ならすと共に、各区分の断面形状を異形にして、バストへのフイット性とバストに当る面圧を下げて肌当りを良くすると共に、肌への喰い込みをなくした着用感の優れたカップ部の保形用芯材を提供することを目的とするものである。
【課題を解決するための手段】
【００１１】
上記の課題を解決し、その目的を達成する手段として、本考案では、ブラジャーなどのバストカップの下辺に装着される保形用芯材であって、下辺部と内側上部と外側上部の断面形状を縦長方形、横長方形、傾斜長方形に形成し、下辺部と内側上部間の内側中間部および下辺部と外側上部間の外側中間部の断面形状を円形に形成したことを特徴とするカップ部の保形用芯材を開発し、採用した。
【００１２】
また、上記のカップ部の保形用芯材において、外側上部の断面傾斜長方形は内側上部の断面横長方形よりも長く、内側中間部の断面円形は外側中間部の断面円形より長く、内側上端部から下辺部の一側端と、外側上端部から下辺部の他側端が同じ長さに形成されていることを特徴とするカップ部の保形用芯材、および内側上部の端部は肌から離れる方向に曲げられていることを特徴とするカップ部の保形用芯材、および外側上部の傾斜長方形は略４５度に傾斜していることを特徴とするカップ部の保形用芯材を開発し、採用した。
【考案の効果】
【００１３】
このカップ部の保形用芯材は、脇側の外側上部を傾斜長方形で傾斜面に形成してあるから、バストの膨出面が傾斜面と面接触して肌あたりが良く、面圧が強くなくて苦痛や違和感がなくなると共に、フイット性がよく着け心地が良好になる。また、バック布の締め付けによる背面方向からの引っ張り力により、脇側の外側上部が背中の方向へ引っ張られ、それにともなって前中心側の内側上部が捩られて肌側に動いたとしても、その端部が肌から離れる方向に曲げられているので肌への喰い込みを防止することができ、従来生じた内外側上部における痛みを解消し、保形用芯材の持つバストの保形、造形が得られ美しいバストラインを発揮できる。
【考案を実施するための最良の形態】
【００１４】
以下に、本考案の実施の形態を添付図面に基づいて説明すれば、１はカップ部の下辺に沿って湾曲する概略半円形状の保形用芯材で、前中心側の内側上部２、内側中間部３、下辺部４、外側中間部５、脇側の外側上部６の５区分に分けられて形成されている。
【００１５】
上記の内側上部２は、その断面形状が図２Ａに示すように、厚さより幅が大きい扁平な横長方形に形成されており、その端部２ａを図３に示すように肌側から離れる方向に屈曲してある。内側上部２の下端に続く内側中間部３は、その断面形状が図２Ｂに示すように、真円形に形成されており、その内側中間部３の下端に続く下辺部４は、その断面形状が図２Ｃに示すように、厚さより幅が大きい扁平な縦長方形に形成されており、その下辺部４の上端に続く外側中間部５は、その断面形状が図２Ｄに示すように、真円形に形成されており、その外側中間部５の上端に続く脇側の外側上部６の断面形状が図２Ｅに示すように、略４５度の傾斜長方形に形成されている。
【００１６】
上記の各区分の長さはまちまちで、バストの荷重を支える大きい剛性を有する下辺部４が一番長い弧状に形成されており、その下辺部４の一方の端部に連設する外側中間部５が他方の端部に連設する内側中間部３より短く形成されて外方へ広がりにくくしてある。一方、脇側の外側上部６は、前中心側の内側上部２より長く形成されていてバストの形状に沿いやすくなっている。そして、この外側上部６から外側中間部５までの長さと、内側上部２から内側中間部３までの長さが同じ長さに形成され、左右のバランスの調和を図っている。
【００１７】
この保形用芯材１の材質としては、スチール製、ステンレス製、その他の鋼材からなる金属性のもの、あるいはポリアセタール樹脂などで代表される合成樹脂製、ガラス繊維やアラミド繊維、エポキシ樹脂などで代表される繊維強化樹脂製、ニッケルーチタン合金、ニッケルーチタンクロム合金などの形状記憶合金製のものが用いられ、バストに違和感を与えることなく、適度の弾力性と剛性を有し、効果的な保持力を持ち、洗濯中にも折損する事のない上記の材質のものが好ましい。
【００１８】
保形用芯材１が金属製の場合は、発錆や肌あたりを和らげるほか、外観を良好にするために外周面に樹脂被膜層で被覆すると共に、内側上部２および外側上部６には溶融樹脂を付着させて太くなるように端末加工をして芯材１を収納する筒状ループを突き破らないようにしてある。
【００１９】
このように構成した本考案の実施の形態に基づいて、その使用状態を作用、効果と共に説明すると、このカップ部の保形用芯材１が装着されたブラジャー（図示せず）を着用して身体を動かしたり、運動したりするとバストが揺れ動き保形用芯材１の外側上部６に圧力がかかったとしても、外側上部６は４５度で傾斜する傾斜面６ａを持つ傾斜長方形になっているから、図５に示すように、バストの形状に沿うように当接し、面接触になり面圧が強くなく、肌当たりの良い良好な着用感が得られ、本来のカップ用芯材の持つバストの保形、造形が得られる。また、仮に内側上部２が捩れて肌側に食い込んだとしても、図３に示すように、その端部２ａが肌側から離れる方向に曲げてあるから、肌に食い込む事がない。さらに、バストの側方部に当る内側中間部３および外側中間部５の断面形状が円形になっているから、エッジ部分がなく装着時の違和感がなくなる。また、下辺部は高い剛性をもつ断面が縦長方形であるから、バストの荷重を充分支えることができるものである。
【００２０】
以上、本考案の主要な実施例について説明したが、本考案はこれらの実施例に限定されるものでなく、考案の目的を達成でき、かつ考案の要旨を逸脱しない範囲内で種々設計変更が可能であり、それらも全て本考案の範囲内に包含されるものである。
【産業上の利用可能性】
【００２１】
ブラジャーだけでなく、ボディスーツまたはブラスリップなどのランジェリーもしくはレオタード、水着のスポーツ衣料などのバストカップを有する衣類に利用できるものである。
【図面の簡単な説明】
【００２２】
【図１】本考案の保形用芯材の正面図である。
【図２】図１のＡ−Ａ線、Ｂ−Ｂ線、Ｃ−Ｃ線、Ｄ−Ｄ線、Ｅ−Ｅ線の切断部端面拡大図である。
【図３】内側上部の拡大斜視図である。
【図４】芯材装着時の内側部の側面図である。
【図５】芯材装着時の外側上部の説明図である。
【符号の説明】
【００２３】
１    保形用芯材
２    内側上部
２ａ  端部
３    内側中間部
４    下辺部
５    外側中間部
６    外側上部
【図１】
0003110053.tif 000003
【図２】
0003110053.tif 000004
【図３】
0003110053.tif 000005
【図４】
0003110053.tif 000006
【図５】
0003110053.tif 000007